(57)【要約】【課題】  安定的な骨組構造を備え、かつ天幕上面に雨水の溜まらない片流式の折畳テントを提供する。【解決手段】  片流式折畳テント１は、前面柱材２と後面柱材３を前面梁材と後面梁材５及び側面梁材で水平高さでシザース状に連結し、前面梁材の中間部にはヒンジジョイントを設け中間支柱１４を立設する。後面梁材５の中間部にもヒンジジョイント１５を設ける。天幕２０は伸張した後面梁材５の形状に合わせて側面のシート材を波形に切断し、上面のシート材をこれと直角に縫製する。この縫製により天幕２０には後面に向ってＶ字型の溝ができ、上面に弛みが発生しないため雨水は滞留することなく外側に流れ落ちる構成となる。【選択図】        図２
0003102408.tif 000002
【実用新案登録請求の範囲】
【請求項１】
前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前記梁材は、前記後面柱材の略頂部より装着する高さを基準として水平に配設すると共に、前面柱材同士を連結して少なくとも一箇所以上のヒンジジョイントを設け、このヒンジジョイントに中間支柱を立設する前面梁材と、後面柱材同士を連結して少なくとも一箇所以上のヒンジジョイントを設ける後面梁材と、これら前面梁材及び後面梁材と連動し得る側面梁材を有し、前記天幕は、前面柱材頂部と後面柱材頂部を結ぶ柱間稜線、前記中間支柱頂部と後面梁材ヒンジジョイント頂部を結ぶ中間稜線、前面柱材頂部同士を水平に結ぶ前面稜線、この前面稜線の前面柱材頂部と中間支柱頂部の中間点より前記後面梁材の交差部上を結ぶ谷線を形成することを特徴とする片流式の折畳テント。
【請求項２】
前記天幕は、各稜線に補強材を付設して設営時に稜線の直線性を保つことを特徴とする請求項１記載の片流式の折畳テント。
【考案の詳細な説明】
【技術分野】
【０００１】
本考案は、柱材に対し連結部材を介してシザース状に動作する梁材を備え、前面柱材から後面柱材にかけて傾斜した天幕を取り付ける片流式の折畳テントに関する。
【背景技術】
【０００２】
柱材に連結する梁材をシザース状に折り畳むテントについては、例えば特許文献１あるいは特許文献２に記載されるような構造が提案されていた。
【特許文献１】特開２０００−１５４６７１号公報
【特許文献２】特開２００３−２５３９１６号公報
【０００３】
又、シザース状の梁材を備える片流式のテントとしては、例えば図８に示すような骨組構造のものがあった。この従来の片流式テントは、地表に立設する４本の柱材２０１と、この柱材２０１同士を連結する４面の梁材２０２を有し、柱材２０１の頂部には端部ジョイント２０３を冠着し、その下方に上下方向に移動可能なスライドジョイント２０４を環装していた。これら連結部材を構成する端部ジョイント２０３及びスライドジョイント２０４は梁材２０２を構成する斜材２０５の一端部を回動可能に支持しており、梁材２０２の中央には左右の斜材２０５をピン結合で連結するヒンジジョイント部２０６が設けられいた。
【０００４】
梁材２０２は連結する部分が全てピン結合となっており、同期してシザース状に動作しながら折り畳み可能な構成をとっていたため、使用時には柱材２０１を相互に離隔すれば骨組全体が拡開し、収納時には柱材２０１を近接させることで骨組全体の収縮が可能となる構造であった。
【考案の開示】
【考案が解決しようとする課題】
【０００５】
しかし、従来の片流式テントは、前面の高い柱材と後面の低い柱材の頂部を斜めに連結する構造であったため、骨組として極めて不安定な構造体であった。又、この骨組には図９に示すように前面柱材から後面柱材にかけて傾斜した天幕２０７を取り付けていたが、後面梁材の斜材交差部付近２０７ａで弛みが生じ易かったので平面性が保持できず、結局天幕上面２０７ｂに雨水が溜まり、片流れの役目を充分に発揮できなかった。
【０００６】
この考案は、従来の片流式折畳テントが有する上記の問題点を解消すべくなされたものであり、安定的な骨組構造を備え、かつ天幕上面に雨水の溜まらない片流式の折畳テントを提供することを目的としている。
【課題を解決するための手段】
【０００７】
上記課題を解決するため、この考案の片流式の折畳テントは、前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前記梁材は、前記後面柱材の略頂部より装着する高さを基準として水平に配設すると共に、前面柱材同士を連結して少なくとも一箇所以上のヒンジジョイントを設け、このヒンジジョイントに中間支柱を立設する前面梁材と、後面柱材同士を連結して少なくとも一箇所以上のヒンジジョイントを設ける後面梁材と、これら前面梁材及び後面梁材と連動し得る側面梁材を有し、前記天幕は、前面柱材頂部と後面柱材頂部を結ぶ柱間稜線、前記中間支柱頂部と後面梁材ヒンジジョイント頂部を結ぶ中間稜線、前面柱材頂部同士を水平に結ぶ前面稜線、この前面稜線の前面柱材頂部と中間支柱頂部の中間点より前記後面梁材の交差部上を結ぶ谷線を形成することを特徴とするものである。
【０００８】
中間支柱は上方のヒンジジョイントを遊挿し下方のヒンジジョイントで支持される。柱材相互を離隔したとき、中間支柱の頂部は前面柱材の頂部と同一高さで固定される。
【０００９】
天幕は、伸張した後面梁材の形状に合わせて側面のシート材を波形に切断し上面のシート材をこれと直角に縫製する。この縫製により天幕は稜線と谷線を形成して後面梁材に密着する。後面に向ってＶ字型の溝ができ、上面に弛みが発生しないため雨水は滞留することなく外側に流れ落ちる。
【００１０】
天幕が後面梁材に密着すると共に、全ての梁材が地面と平行な高さで柱材を連結するので、骨組構造が安定する。
【００１１】
請求項２記載の片流式折畳テントの天幕は、各稜線に補強材を付設して設営時に稜線の直線性を保つことを特徴とするものである。補強材としてはシート材を重合したり、帯材又はロープ等を内設する。稜線部はスパンが長くなるため、これら補強材を敷設することで充分な引張強度を持たせ、直線性を保ち天幕に弛みを発生させない。
【考案の効果】
【００１２】
この考案の片流式の折畳テントは、梁材を水平に配設すると共に、天幕に稜線と谷線を形成するので、後面に向ってＶ字型の溝ができ、上面に弛みが発生しないため雨水は滞留することなく外側に流れ落ちる。又天幕が後面梁材に密着すると共に、全ての梁材が地面と平行な高さで柱材を連結するので、骨組構造が安定する。
【００１３】
請求項２記載の片流式折畳テントの天幕は、各稜線に補強材を付設して設営時に稜線の直線性を保つので、より天幕に弛みが発生しなくなる。
【考案を実施するための最良の形態】
【００１４】
次にこの考案の実施の形態を添付図面に基づき詳細に説明する。図１は片流式の折畳テントの骨組構成を示す斜視図、図２は同骨組に天幕を装着した斜視図である。片流式折畳テント１は、前面柱材２，２と後面柱材３，３、前面柱材２同士を連結する前面梁材４、後面柱材３同士を連結する後面梁材５、これら前面梁材４及び後面梁材５と連動し得る２面の側面梁材６，６を有する。
【００１５】
各梁材４，５，６は斜材７，７をピン８でシザース状に連結し、後面柱材３の頂部に装着する端部ジョイント９、その下方に遊挿するスライドジョイント１０、これらに対応して同一レベルで前面柱材２に装着する上部ジョイント１１及びその下方のスライドジョイント１０と夫々ヒンジ結合する。
【００１６】
前面梁材４は連続する斜材７の連結部にヒンジジョイント１２，１３を設け、この部分に中間支柱１４を立設する。又後面梁材５及び側面梁材６も夫々斜材７の連結部にヒンジジョイント１５，１６を設ける。これらヒンジジョイント１２，１３，１５，１６からテント中心部に向かってリンク部材１７が取り付けられ、それらが集合する中心部には中央ヒンジジョイント１８，１９が連結される。
【００１７】
天幕２０は図２に示すように、伸張した後面梁材５の形状に合わせて側面のシート材２０ａを波形に切断し、上面のシート材２０ｂをこれと直角に縫製する。この縫製により天幕２０は、前面柱材２の頂部と後面柱材３の頂部を結ぶ柱間稜線２１、中間支柱１４の頂部と後面梁材５のヒンジジョイント１５の頂部を結ぶ中間稜線２２、前面柱材２の頂部同士を水平に結ぶ前面稜線２３、この前面稜線２３における前面柱材２と中間支柱４の中間点より後面梁材５の交差部上を結ぶ谷線２４を夫々形成する。従って天幕２０には後面に向ってＶ字型の溝ができ、上面に弛みが発生しないため雨水は滞留することなく外側に流れ落ちる構成となる。
【００１８】
又各稜線２１，２２，２３には補強材２５を付設して設営時に稜線の直線性を保つ。補強材２５としては例えば補強布、帯材、ロープ等が用いられるが、長い柱スパンに架設する天幕稜線ができるだけ弛まないような引張強度を備えた素材を採用する。
【００１９】
次に各ジョイントの詳細を図３乃至図５に基き説明する。図３は前面柱材に装着する連結部材の斜視図、図４は中間支柱に装着するヒンジジョイントの斜視図、図５は後面梁材の連結部に設けるヒンジジョイントの斜視図である。
【００２０】
前面柱材２は上部ジョイント１１とスライドジョイント１０を貫通し、頂部に天幕支持部材２６を冠着する。天幕支持部材２６は中間支柱１４の方向に跳ね出す形状で前面稜線２３の直線性を保つ助けとなる。更に、補強材２５で補強された天幕２０を骨組に固定する際の引張時に歪みを無くす効果もある。
【００２１】
上部ジョイント１１は後面柱材３の頂部に装着する端部ジョイント９と同一高さに固定されており、２方向の斜材取付部１１ａ，１１ｂを突設して夫々斜材７をヒンジ結合する。
【００２２】
スライドジョイント１０は、前面柱材２を挿通する鞘管１０ａより２方向に斜材取付部１１ｂ，１１ｃを突設して斜材７をヒンジ結合し、下方に係止ピン１１ｄを付設する。係止ピン１１ｄは内設する弾性部材により内方に付勢されており、前面柱材２の図示しないピン孔に挿入されるとその移動が停止する。
【００２３】
中間支柱１４は上方のヒンジジョイント１２を貫通し、有底のヒンジジョイント１３で支持される。中間支柱１４の頂部にも天幕支持部材２７を冠着し、その両方向に跳ね出す片持部で前面稜線２３の直線性を保つ。天幕支持部材２６，２７は天幕２０の傾斜角に沿った楔状に形成されている。
【００２４】
上方のヒンジジョイント１２は３方向の斜材取付部１２ａ，１２ｂ，１２ｃを突設して夫々斜材７若しくはリンク部材１７をヒンジ結合する。このヒンジジョイント１２は中間支柱１４を上下動可能に遊挿し、骨組展開時には中間支柱１４の頂部が前面柱材２の頂部と同一高さになった時点で固定される。
【００２５】
後面梁材の連結部に設けるヒンジジョイント１５も３方向の斜材取付部１５ａ，１５ｂ，１５ｃを突設して夫々斜材７若しくはリンク部材１７をヒンジ結合する。なお、側面梁材６に設けるヒンジジョイントも同様な構成となる。
【００２６】
これらのヒンジジョイント１２，１３，１５，１６に連結するリンク部材１７をテント中央でヒンジ結合する中央ヒンジジョイント１８，１９は、夫々４方向の斜材取付部を有するものであるが、天幕支持支柱を備える構成としてもよい。この実施形態を図６に示す。
【００２７】
図６は別の実施形態の中央ヒンジジョイントの斜視図である。中央ヒンジジョイント１１８は天幕支持支柱１１４を上下動可能に遊挿し、有底の中央ヒンジジョイント１１９でこれを支持する。天幕支持支柱１１４の頂部にも天幕支持部材１２７を冠着し中間稜線２２の直線性を保つ。天幕支持支柱１１４の頂部高さはこの中間稜線２２の中央高さに合せる。
【００２８】
次に前面柱材の前方に庇を設ける実施形態を図７に基づき説明する。前面柱材２の上部ジョイント１１１は３方向の斜材取付部１１１ａ，１１１ｂ，１１１ｃを突設し、前方に突設する斜材取付部１１１ｃに庇用アーム２８をヒンジ結合する。同様に中間支柱１４においても４方向に跳ね出すヒンジジョイント１１２を設け、庇用アーム２８を取り付ける。この庇用アーム２８に天幕の庇部１２０を掛ける。
【産業上の利用可能性】
【００２９】
この片流式折畳テントは、６本以上の柱材を有する大型テント、側面梁材にヒンジジョイントを設けずリンク部材も省略した小型テントの場合にも適用できる。
【図面の簡単な説明】
【００３０】
【図１】片流式折畳テントの骨組構成を示す斜視図である。
【図２】片流式折畳テントの骨組に天幕を装着した斜視図である。
【図３】前面柱材に装着する連結部材の斜視図である。
【図４】中間支柱に装着するヒンジジョイントの斜視図である。
【図５】後面梁材の連結部に設けるヒンジジョイントの斜視図である。
【図６】別の実施形態の中央ヒンジジョイントの斜視図である。
【図７】別の実施形態の前面柱材及び中間支柱の連結部の斜視図である。
【図８】従来の片流式折畳テントの骨組構成を示す斜視図である。
【図９】従来の片流式折畳テントの骨組に天幕を装着した斜視図である。
【符号の説明】
【００３１】
１  片流式折畳テント
２  前面柱材
３  後面柱材
４  前面梁材
５  後面梁材
６  側面梁材
１４  中間支柱
２０  天幕
２１  柱間稜線
２２  中間稜線
２３  前面稜線
２４  谷線
【図１】
0003102408.tif 000003
【図２】
0003102408.tif 000004
【図３】
0003102408.tif 000005
【図４】
0003102408.tif 000006
【図５】
0003102408.tif 000007
【図６】
0003102408.tif 000008
【図７】
0003102408.tif 000009
【図８】
0003102408.tif 000010
【図９】
0003102408.tif 000011